(57)【要約】【課題】ユーザーが所望するタスクを他のタスクの影響を受けずに実行でき、複数のタスクを同時に行えることにより、ユーザーの不便を解消でき、さらに、１つキーを利用してメニュー出力、画面切り替え、タスクのリスト出力などの多様な機能を行えることにより、キーの集積度を向上できる携帯端末機における画面切り替え方法を提供する。【解決手段】携帯端末機における画面切り替え方法は、少なくとも１つの表示領域１１０，１１２を備えた携帯端末機１００において、所定のファンクションキーが入力される段階と、前記ファンクションキーの種類を判断する段階と、前記判断結果によって画面切り替えを行う段階とを含むことを特徴とする。【選択図】図１
2006141019.tif 000002
【特許請求の範囲】
【請求項１】
少なくとも１つの表示領域を備えた携帯端末機における画面切り替え方法であって、
所定のファンクションキーが入力される段階と、
前記ファンクションキーの種類を判断する段階と、
前記判断結果によって画面切り替えを行う段階と、
を含むことを特徴とする携帯端末機における画面切り替え方法。
【請求項２】
前記ファンクションキーの種類は、メニューを出力するキー、タスクのリストを出力するキー、画面トグルを行うキーであることを特徴とする請求項１に記載の携帯端末機における画面切り替え方法。
【請求項３】
前記画面切り替えは、前記判断の結果、前記ファンクションキーの種類がメニューを出力するキーである場合、第１表示領域にメインメニューを出力することを特徴とする請求項２に記載の携帯端末機における画面切り替え方法。
【請求項４】
前記画面切り替えは、前記判断の結果、前記ファンクションキーの種類がタスクのリストを出力するキーである場合、第２表示領域に現在実行中の全てのタスクのリストを表示することを特徴とする請求項２に記載の携帯端末機における画面切り替え方法。
【請求項５】
前記画面切り替えは、前記判断の結果、前記ファンクションキーの種類が画面トグルを行うキーである場合、第１表示領域と第２表示領域のうち現在非アクティブ状態の表示領域をアクティブにし、アクティブ状態の表示領域を非アクティブにすることを特徴とする請求項２に記載の携帯端末機における画面切り替え方法。
【請求項６】
前記ファンクションキーは、入力方式によってキーの種類が区分されることを特徴とする請求項１に記載の携帯端末機における画面切り替え方法。
【請求項７】
前記入力方式は、
キーを短く１回押すショートキー方式と、
キーを所定時間以上押すロングキー方式と、
キーを短く連続して２回押すダブルキー方式と、
を含むことを特徴とする請求項６に記載の携帯端末機における画面切り替え方法。
【請求項８】
前記ショートキー方式は、前記ファンクションキーを、メニューを出力するキーとして動作させることを特徴とする請求項７に記載の携帯端末機における画面切り替え方法。
【請求項９】
前記ロングキー方式は、前記ファンクションキーをタスクのリストを出力するキーとして動作させることを特徴とする請求項７に記載の携帯端末機における画面切り替え方法。
【請求項１０】
前記ダブルキー方式は、前記ファンクションキーを画面トグルを行うキーとして動作させることを特徴とする請求項７に記載の携帯端末機における画面切り替え方法。
【請求項１１】
前記ファンクションキーは、携帯端末機のキーパッド又は携帯端末機の側面に位置する特定キーであることを特徴とする請求項１に記載の携帯端末機における画面切り替え方法。
【請求項１２】
第１表示領域と第２表示領域を含む少なくとも１つの表示部を備えた携帯端末機における画面切り替え方法であって、
所定のファンクションキーが入力される段階と、
前記第１表示領域で実行中のタスクの特性及び前記入力されたファンクションキーの種類を判断する段階と、
前記判断結果によって、画面切り替えを行う段階と、
を含むことを特徴とする携帯端末機における画面切り替え方法。
【請求項１３】
前記ファンクションキーの種類は、メニューを出力するキー、タスクのリストを出力するキー、画面トグルを行うキーであることを特徴とする請求項１２に記載の携帯端末機における画面切り替え方法。
【請求項１４】
前記ファンクションキーの種類は、キーの入力方式によって区分されることを特徴とする請求項１２に記載の携帯端末機における画面切り替え方法。
【請求項１５】
前記キーの入力方式は、
キーを短く１回押すショートキー方式と、
キーを所定時間以上押すロングキー方式と、
キーを短く連続して２回押すダブルキー方式と、
を含むことを特徴とする請求項１４に記載の携帯端末機における画面切り替え方法。
【請求項１６】
前記タスクの特性は、タスクが画面占有タスクであるか否かで分類されることを特徴とする請求項１２に記載の携帯端末機における画面切り替え方法。
【請求項１７】
前記画面占有タスクは、ユーザーが任意に指定できることを特徴とする請求項１６に記載の携帯端末機における画面切り替え方法。
【請求項１８】
前記画面切り替えは、前記判断の結果、前記第１表示領域で実行中のタスクが画面占有タスクで、かつ前記ファンクションキーの種類がメニューを出力するキーであると、前記第２表示領域に、該第２表示領域で実行可能な特定タスクのリストから構成されたサブメニューを出力することを特徴とする請求項１２に記載の携帯端末機における画面切り替え方法。
【請求項１９】
前記画面切り替えは、前記判断の結果、前記第１表示領域で実行中のタスクが画面占有タスクではなく、かつ前記ファンクションキーの種類がメニューを出力するキーであると、前記第１表示領域にメインメニューを出力することを特徴とする請求項１２に記載の携帯端末機における画面切り替え方法。
【請求項２０】
前記画面切り替えは、前記判断の結果、前記第１表示領域で実行中のタスクが画面占有タスクで、かつ前記ファンクションキーの種類がタスクのリストを出力するキーであると、前記第２表示領域に該第２表示領域で実行中のタスクのリストを出力することを特徴とする請求項１２に記載の携帯端末機における画面切り替え方法。
【請求項２１】
前記画面切り替えは、前記判断の結果、前記第１表示領域で実行中のタスクが画面占有タスクではなく、かつ前記ファンクションキーの種類がタスクのリストを出力するキーであると、前記第２表示領域に現在実行中の全てのタスクのリストを表示することを特徴とする請求項１２に記載の携帯端末機における画面切り替え方法。
【請求項２２】
前記画面切り替えは、前記判断の結果、前記第１表示領域で実行中のタスクが画面占有タスクで、かつ前記ファンクションキーの種類が画面トグルを行うキーであると、前記第１表示領域で実行中の画面占有タスクは続けて実行し、前記第２表示領域のみを前記ファンクションキーが入力される度にアクティブ又は非アクティブ状態にトグルすることを特徴とする請求項１２に記載の携帯端末機における画面切り替え方法。
【請求項２３】
前記画面切り替えは、前記判断の結果、前記第１表示領域で実行中のタスクが画面占有タスクではなく、かつ前記ファンクションキーの種類が画面トグルを行うキーであると、前記第１表示領域と前記第２表示領域のうち現在非アクティブ状態の表示領域はアクティブにし、アクティブ状態の表示領域は非アクティブにすることを特徴とする請求項１２に記載の携帯端末機における画面切り替え方法。
【請求項２４】
前記ファンクションキーは、１つのメニューキーであり、携帯端末機のキーパッド又は携帯端末機の側面に位置して実現されることを特徴とする請求項１２に記載の携帯端末機における画面切り替え方法。
【請求項２５】
ファンクションキーが入力される段階と、
前記ファンクションキーに従う機能が実行される表示領域をアクティブにする段階と、
を含むことを特徴とする携帯端末機における画面切り替え方法。
【請求項２６】
前記ファンクションキーは、メニューを出力するキーであることを特徴とする請求項２５に記載の携帯端末機における画面切り替え方法。
【請求項２７】
前記ファンクションキーは、タスクのリストを出力するキーであることを特徴とする請求項２５に記載の携帯端末機における画面切り替え方法。
【請求項２８】
タスクのリストを出力するキーが入力される段階と、
第２表示領域にタスクのリストを出力する段階と、
を含むことを特徴とする携帯端末機における画面切り替え方法。
【請求項２９】
前記第２表示領域は、少なくとも２つの領域に分割された１つの表示部のうちの１領域であることを特徴とする請求項２８に記載の携帯端末機における画面切り替え方法。
【請求項３０】
前記第２表示領域は、１つの表示部であることを特徴とする請求項２８に記載の携帯端末機における画面切り替え方法。
【請求項３１】
第１表示領域と第２表示領域を含む少なくとも１つの表示部を備え、所定のファンクションキーが入力されると、前記第１表示領域と前記第２表示領域のうち該当機能が行われる表示領域をアクティブにすることを特徴とする携帯端末機。
【請求項３２】
前記ファンクションキーは、メニューを出力するキーであることを特徴とする請求項３１に記載の携帯端末機。
【請求項３３】
前記ファンクションキーは、タスクのリストを出力するキーであることを特徴とする請求項３１に記載の携帯端末機。
【請求項３４】
前記第１表示領域と前記第２表示領域は、１つの共通した表示部の分割された領域であることを特徴とする請求項３１に記載の携帯端末機。
【請求項３５】
前記第１表示領域と前記第２表示領域は、それぞれ１つの表示部であることを特徴とする請求項３１に記載の携帯端末機。
【発明の詳細な説明】
【技術分野】
【０００１】
本発明は、携帯端末機に関し、特に、少なくとも１つの表示領域を含む少なくとも１つの表示部を備えた携帯端末機における画面切り替え方法に関する。
【背景技術】
【０００２】
近年、移動通信技術と携帯端末機（移動通信端末機）の製造技術が発達するにつれて、最近の携帯端末機は単なる携帯電話機ではなく、携帯用エンターテイメントシステムと呼ばれている。最近は、携帯端末機を利用して動画像を見たり、音楽を聞いたり、インターネットに接続したり、モバイルゲームをすることが可能であるため、ユーザーが携帯端末機を使用する時間が次第に長くなってきている。
【０００３】
しかしながら、既存の携帯端末機は、１つの表示部のみを備えているか、又は、２つの表示部を備えていてもその機能がきわめて限定されているため、特に、ユーザーが携帯端末機でマルチメディアストリーミングサービスやモバイルゲームなどを利用中に電話（呼）着信又はメール受信などがあると、利用中のサービスに障害が生じて使用に不便であるという問題があった。
【発明の開示】
【発明が解決しようとする課題】
【０００４】
本発明は、このような問題点を解決するために提案されたもので、本発明の目的は、ユーザーが所望するタスクを他のタスクの影響を受けずに実行させる携帯端末機における画面切り替え方法を提供することにある。
【０００５】
本発明の他の目的は、メニューやタスクのリストを容易に出力することで、ユーザーの所望するタスクを直ちに実行できる携帯端末機における画面切り替え方法を提供することにある。
【０００６】
本発明のさらに他の目的は、キーの活用度を向上できる携帯端末機における画面切り替え方法を提供することにある。
【課題を解決するための手段】
【０００７】
このような目的を達成するために本発明に係る携帯端末機における画面切り替え方法は、少なくとも１つの表示領域を含む少なくとも１つの表示部を備えた携帯端末機における画面切り替え方法であって、所定のファンクションキーが入力される段階と、そのファンクションキーの種類を判断する段階と、該判断結果によって画面切り替えを行う段階とを含むことを特徴とする。
【０００８】
また、本発明に係る携帯端末機における画面切り替え方法は、少なくとも１つの表示領域を含む少なくとも１つの表示部を備えた携帯端末機における画面切り替え方法であって、所定のファンクションキーが入力される過程と、前記表示領域のうち第１表示領域で実行中のタスクの特性及び前記入力されたファンクションキーの種類を判断する段階と、該判断結果によって、画面切り替えを行う段階とを含むことを特徴とする。
【０００９】
好ましくは、前記ファンクションキーは個別に備えられ、これらファンクションキーの種類は、メニューを出力するキー、タスクのリストを出力するキー、画面トグルを行うキーに区分される。
【００１０】
好ましくは、前記ファンクションキーは１つのメニューキーであり、このファンクションキーの種類は、キーの入力方式によって区分される。当該キーの入力方式は、キーを短く１回押すショートキー（１度押し）方式と、キーを所定時間以上押すロングキー（長押し）方式と、キーを短く連続して２回押すダブルキー（２度押し）方式を含む。
【００１１】
好ましくは、前記タスクの特性は、タスクが現在ネットワークと接続しており、画面出力が途切れてはならない画面占有タスクであるか、又は画面占有タスクでないかに分類される。この画面占有タスクは、ユーザーにより任意に指定できる。
【発明の効果】
【００１２】
本発明に係る携帯端末機における画面切り替え方法は、現在ユーザーが所望するタスクが他のタスクの影響を受けずに実行でき、さらに、複数のタスクを同時に実行できるため、ユーザーの不便が解消されるという効果がある。
【００１３】
また、本発明に係る携帯端末機における画面切り替え方法は、１つのファンクションキーを多様な入力方式で押すことにより、メニュー出力、画面切り替え、タスクのリスト出力など多様な機能を行うことができるので、キーの集積度が向上するという効果がある。
【発明を実施するための最良の形態】
【００１４】
以下、図面を参照して本発明の好ましい実施形態を説明する。
【００１５】
図１は、本発明に係る２つの表示領域（portion）を備えた携帯端末機の外形図である。
【００１６】
図１に示すように、２つの表示領域を備えた携帯端末機１００は、携帯端末機で使用可能な全てのタスク（又はモジュール）のリスト（又はアイコン）及び該当タスクの実行画面が表示され、メイン画面が出力される第１表示領域１１０、さらに、特定タスクのリスト及び該当タスクの実行画面が表示され、サブ画面が出力される第２表示領域１１２を備えた表示部１０５と、静止画像及び動画像などが撮影されるカメラ１１４と、音声、音楽、効果音などの多様なオーディオ信号が出力されるスピーカー１１６と、ユーザーにより電話番号及び制御命令が入力されるキーパッド１１８と、ユーザーの音声信号が入力されるマイク１２０とを含んで構成される。
【００１７】
第１表示領域１１０は、既存の携帯端末機と同様に、メイン待ち受け画面やメニュー画面の設定、ダイヤル及び言語設定、着信音やマナーモード設定などの携帯電話管理、メールの作成や送信及び受信メールの確認などのメール管理、音楽再生、動画像再生、写真及び動画像撮影、音声録音、無線インターネット、電子手帳などの、携帯端末機１００で使用可能な全てのタスクのリスト、該当タスクの実行画面などを出力する。
【００１８】
第２表示領域１１２は、第１表示領域１１０が他のプログラムにより占有された場合又は蓋部（本例はスライド式）が閉じられている場合（第１表示領域１１０がオフになった場合）、日付け及び時間、バッテリの残量、メール受信などを表示するサブ待ち受け画面や、メールサービス、アラーム、着信などの第２表示領域１１２で表示可能な特定タスクのリスト及び該当実行画面などを表示する。
【００１９】
本発明の実施形態では、所定のファンクションキーを利用してメニュー出力、画面切り替え、タスクのリストの出力などの多様な機能を行い、当該所定のファンクションキーは、メニューを出力するキー、タスクのリストを出力するキー、画面トグルを行うキーとしてそれぞれ構成される。このような所定のファンクションキーは、１つのメニューキーで実現することもでき、この場合、キー入力方式によって、メニューを出力するキー（Menu display key）、タスクのリストを出力するキー（Task list display key）、画面トグルを行うキー（Screen toggling execution key）として実現される。本例の所定のファンクションキーは、携帯端末機１００のキーパッド１１８又は携帯端末機１００の側面に位置する。
【００２０】
キー入力方式としては、ファンクションキーを短く一回押すショートキー方式と、ファンクションキーを所定時間以上押すロングキー方式と、ファンクションキーを短く連続して２回押すダブルキー方式とを含む。下記の実施形態では、メニューを出力するキーの実現方式としてショートキー方式を、タスクのリストを出力するキーの実現方式としてロングキー方式を、画面トグルを行うキーの実現方式としてダブルキー方式を、それぞれ適用する場合について説明するが、これは、説明の便宜のための例であり、当該技術分野における通常の知識を有する者であれば前述したような実現方式を多様に変更できるということは言うまでもない。すなわち、画面トグルを行うキーの実現方式としてショートキー方式を用いたり、タスクのリストを出力するキーの実現方式としてダブルキー方式を用いるように変更しても良い。
【００２１】
本発明の実施形態によって、ショートキー方式でファンクションキーが入力されるか、又はメニューを出力するキーが入力されると、第１表示部１１０にメインメニューが出力されるか、第２表示部１１２にサブメニューが出力され、ロングキー方式でファンクションキーが入力されるか、又はタスクのリストを出力するキーが入力されると、現在実行中のタスクのリストが出力される。また、ダブルキー方式でファンクションキーが入力されるか、又は画面トグルを行うキーが入力されると、第１表示部１１０から第２表示部１１２に、又は第２表示部１１２から第１表示部１１０にトグルされ、アクティブ状態の表示部を非アクティブにし、非アクティブ状態の表示部をアクティブにする。このような方法は、１つの表示部を備えた携帯端末機にも適用でき、この場合は、１つの表示部を第１領域、第２領域などに区分して各領域を独立した表示部のように活用すれば良い。これは、図２を参照して説明する。
【００２２】
図２は、本発明に係る携帯端末機における画面切り替え方法の一実施形態を示し、図２を参照すると、上側の大きい四角形は第１表示領域１１０を示し、下側の小さい四角形は第２表示領域１１２を示し、これら表示領域を囲む太線はアクティブにした状態を示す。ここで、アクティブ状態とは、バックライトが点灯して該当ウィンドウでタスクが行われたり、キー入力ができる状態を示し、非アクティブ状態とは、該当ウィンドウにキー入力ができない状態を示す。
【００２３】
図２に示すように、１つの表示部１０５において、第１表示領域１１０にスケジューラのような１つ以上のタスクが実行され、第２表示領域１１２は待ち受け状態であるとき（図中上段中央）、所定のファンクションキーをショートキー方式で押すか、又はメニューを出力するキーを押すと、第１表示領域１１０に携帯端末機で実行可能なタスクのリストを含むメインメニューが出力される。ここで、第１表示領域１１０はアクティブ状態で、第２表示領域１１２は非アクティブ状態である（図中上段左）。
【００２４】
また、第１表示領域１１０にスケジューラのような１つ以上のタスクが実行されており、第２表示領域１１２は待ち受け状態であるとき（図中上段中央）、所定のファンクションキーをダブルキー方式で押すか、又は画面トグルを行うキーを押すと、待ち受け状態の第２表示領域１１２がアクティブになる（図中上段右）。第２表示領域１１２がアクティブになった状態で、再び所定のファンクションキーをダブルキー方式で押すか、又は画面トグルを行うキーを押すと、第１表示領域１１０がアクティブになり、第２表示領域１１２は非アクティブ状態となる。
【００２５】
また、第１表示領域１１０にスケジューラのような１つ以上のタスクが実行されており、第２表示領域１１２は待ち受け状態であるとき（図中上段中央）、所定のファンクションキーをロングキー方式で押すか、又はタスクのリストを出力するキーを押すと、第２表示領域１１２がアクティブ になって第２表示領域１１２に現在実行中の全てのタスクのリストが表示される（図中下段左）。そして、その表示されたリストの１つを選択すると、該当タスクが第１表示領域１１０で実行される（図中下段右）。すなわち、現在実行中のタスクのうち画面を使用しているタスクが、ユーザーの選択によりスイッチングされる。
【００２６】
例えば、ユーザーが無線インターネットでコンテンツをダウンロードしているとき、該コンテンツのダウンロード中に、ゲームを実行し、ゲームの実行中にメールが受信されると、第１表示領域１１０にはゲーム実行画面が表示され、第２表示領域１１２にはメール受信を知らせる画面が表示される。ここで、ユーザーがファンクションキーをロングキー方式で押すか、又はタスクのリストを出力するキーを押すと、第２表示領域１１２には現在実行中の全てのタスクのリスト、すなわち、無線インターネット、ゲーム、メールのアイコンが表示される。ユーザーがコンテンツのダウンロード状況を確認するためにそれらアイコンのうち無線インターネットを選択すると、第１表示領域１１０には無線インターネットのコンテンツダウンロード状況ウインドウが表示され、第２表示領域１１２にはそれまでと同じくメールの受信を知らせるウインドウが表示される。ここで、ユーザーがファンクションキーをダブルキー方式で押すか、画面トグルを行うキーを押すと、第２表示領域１１２がアクティブになって受信されたメールを確認することができ、メールの返信機能によりユーザーは第２表示領域１１２で直ちに返信メールを作成することができる。メール作成中に電話帳を参照する必要がある場合、ユーザーはファンクションキーをショートキー方式で押すか、又はメニューを出力するキーを押し、アクティブになった第１表示領域１１０のメインメニューウィンドウで電話帳を選択して電話番号等を検索できる。そして、ユーザーがメール作成のためにファンクションキーをダブルキー方式で押すか、又は画面トグルを行うキーを押し、アクティブになった第２表示領域１１２でメール作成を完了した後、当該作成されたメッセージを送信すると、メールのタスクは終了する。そうすると、この時の携帯端末機１００の第１表示領域１１０には電話帳が表示され、第２表示領域１１２にはサブ待ち受け画面が表示され、ユーザーが再びゲームをしたりコンテンツのダウンロード状況を確認するためにはファンクションキーをロングキー方式で押すか、又はタスクのリストを出力するキーを押して該当アイコンを選択する。
【００２７】
図３は、上記実施形態のように動作する本発明に係る携帯端末機１００における画面切り替え方法の実施過程を示すフローチャートである。
【００２８】
図３を参照すると、最初に所定のファンクションキーが押されると（Ｓ３１０）、携帯端末機１００は、ファンクションキーの種類を判断する（Ｓ３２０）。判断の結果、ファンクションキーがメニューを出力するキーであると、第１表示領域１１０にメインメニューを出力し（Ｓ３３０）、タスクのリストを出力するキーであると、第２表示領域１１２に現在実行中の全てのタスクのリストを表示し（Ｓ３４０）、画面トグルを行うキーであると、第１表示領域１１０と第２表示領域１１２のうち現在非アクティブ状態の表示領域をアクティブにし、アクティブ状態の表示領域を非アクティブにする（Ｓ３５０）。
【００２９】
図４は、本発明に係る携帯端末機１００における画面切り替え方法の他の実施形態を示す図である。
【００３０】
図４は、第１表示領域１１０で現在実行されているタスクがテレビ電話やＶＯＤのようなネットワークに接続し且つ画面出力が途切れてはならないタスク、すなわち、画面出力が必ず必要なタスク（画面占有タスクと言う）である場合を示す。
【００３１】
図４に示すように、第１表示領域１１０にテレビ電話のような画面占有タスクが実行され、第２表示領域１１２は待ち受け状態である場合（図中上段中央）、ユーザーが所定のファンクションキーをショートキー方式で押すか、又はメニューを出力するキーを押すと、第１表示領域１１０で実行されている画面占有タスクに障害が生じてはならないので、第１表示領域１１０にメインメニューを出力する代わりに、第２表示領域１１２に、該第２表示領域１１２で実行可能な特定タスクのメニュー（サブメニューと言う）を出力する（図中上段左）。このときに出力されたサブメニュー画面からカレンダーのようなタスクを選択すると、該当タスクの実行画面は第２表示領域１１２に出力される（図中下段左）。
【００３２】
また、第１表示領域１１０にテレビ電話のような画面占有タスクが実行され、第２表示領域１１２は待ち受け状態である場合（図中上段中央）、ユーザーが所定のファンクションキーをダブルキー方式で押すか、画面トグルを行うキーを押すと、待ち受け状態の第２表示領域１１２がアクティブになる（図中上段右）。また、第２表示領域１１２がアクティブになった状態で再び所定のファンクションキーをダブルキー方式で押すか、トグルを行うキーを押すと、第２表示領域１１２は非アクティブ状態となる。このとき、第１表示領域１１０で実行中の画面占有タスクは継続実行される。すなわち、トグルキー入力に応じて第２表示領域１１２のみがアクティブ又は非アクティブに切り換えられる。
【００３３】
また、第１表示領域１１０にテレビ電話のような画面占有タスクが実行され、第２表示領域１１２は待ち受け状態である場合（図中上段中央）、ユーザーが所定のファンクションキーをロングキー方式で押すか、又はタスクのリストを出力するキーを押すと、第２表示領域１１２に現在第２表示領域１１２で実行中のタスクのリストが表示される（図中下段中央）。ここで、その表示されたリストの１つを選択すると、該当タスクが第２表示領域１１２で実行される（図中下段右）。すなわち、第２表示領域１１２で表示される実行タスクがスイッチングされる。
【００３４】
図５は、図４の実施形態のように動作する本発明に係る携帯端末機における画面切り替え方法の実施過程を示すフローチャートである。
【００３５】
図５を参照すると、最初に所定のファンクションキーが押されると（Ｓ５１０）、携帯端末機１００は、現在画面に表示されている実行タスクが画面占有タスクであるか否かを判断する（Ｓ５２０）。
【００３６】
当該判断の結果、画面に表示されている実行タスクが画面占有タスクでないと、携帯端末機１００は、ファンクションキーの種類を判断する（Ｓ５２２）。この判断の結果、入力されたファンクションキーの種類がメニューを出力するキーであると、第１表示領域１１０にメインメニューを出力し（Ｓ５２４）、タスクのリストを出力するキーであると、第２表示領域１１２に現在実行中の全てのタスクのリストを表示し（Ｓ５２６）、画面トグルを行うキーであると、第１表示領域１１０と第２表示領域１１２のうち現在非アクティブ状態の表示領域をアクティブにし、アクティブ状態の表示領域を非アクティブにする（Ｓ５２８）。
【００３７】
一方、前記判断（Ｓ５２０）の結果、画面に表示されている実行タスクが画面占有タスクであると、携帯端末機１００は、ファンクションキーの種類を判断し（Ｓ５３０）、入力されたファンクションキーの種類がメニューを出力するキーであると、第２表示領域１１２に第２表示領域１１２で実行可能な特定タスクのリストから構成されたサブメニューを出力する（Ｓ５３２）。また、入力されたファンクションキーの種類がタスクのリストを出力するキーであると、第２表示領域１１２に第２表示領域１１２で実行中のタスクのリストを出力し（Ｓ５３４）、入力されたファンクションキーの種類が画面トグルを行うキーであると、第１表示領域１１０で実行中の画面占有タスクを継続実行する。ただし、画面トグルを行うキーが押される度に第２表示領域１１２のウィンドウのみがアクティブ又は非アクティブになる（Ｓ５３６）。
【００３８】
上記のように画面占有タスクを適用する場合、その画面占有タスクとしては、ユーザーが選択的に任意のタスクを指定又は解除できる。例えば、ビデオ・オン・デマンド（Video On Demand: ＶＯＤ）、ミュージック・オン・デマンド（Music On Demand: ＭＯＤ）、モバイルゲームなどの課金される特定タスクの実行に障害が生じないように、ユーザーが管理メニュー設定などにより画面占有タスクとして指定できる。また、メールの作成を妨害されることを嫌うユーザーであれば、メール作成サービス（例えば、ＳＭＳ（Short Message Service））を画面占有タスクに指定することができる。
【００３９】
本発明は、図示された実施形態を参照して説明されてきたが、これは、単なる例示にすぎず、当該技術分野における通常の知識を有する者であれば多様な代案、変更、変形が可能であることを理解すると思われる。例えば、図６に示すように、２つの表示部６１０、６２０を有する携帯端末機６００（本例は折り畳み式）においても２つの表示部のうち１つを第１表示領域６１０として、他の１つを第２表示領域６２０として適用することにより、本発明に係る画面切り替え方法を実現できる。
【図面の簡単な説明】
【００４０】
【図１】本発明の一実施形態に係る２つの表示領域を備えた携帯端末機の外観図である。
【図２】本発明に係る携帯端末機における画面切り替え方法の一実施形態を示す図である。
【図３】図２のように動作する本発明に係る携帯端末機における画面切り替え方法の実施過程を示すフローチャートである。
【図４】本発明に係る携帯端末機における画面切り替え方法の他の実施形態を示す図である。
【図５】図４のように動作する本発明に係る携帯端末機における画面切り替え方法の実施過程を示すフローチャートである。
【図６】本発明の他の実施形態に係る２つの表示部を備えた携帯端末機の外観図である。
【符号の説明】
【００４１】
１００：携帯端末機
１１０：第１表示領域
１１２：第２表示領域
１１４：カメラ
１１６：スピーカー
１１８：キーパッド
１２０：マイク
１０５：表示部
【図１】
2006141019.tif 000003
【図２】
2006141019.tif 000004
【図３】
2006141019.tif 000005
【図４】
2006141019.tif 000006
【図５】
2006141019.tif 000007
【図６】
2006141019.tif 000008